(57)【要約】流体ディスペンサ  投与部材（１、２）と、投与部材を少なくとも部分的に包んでいるパッケージ（４）とを有しており、前記投与部材（１、２）は、流体容器（１）を有しており、当該流体容器にはネック（１１）と、少なくとも１つの変形可能な駆動壁（１０）とが形作られており、当該駆動壁は、押し込まれることで容器の内部容積を小さくする働きをしており、前記投与部材（１）には、投与開口部（２５）が設けられており、容器（１）の駆動壁（１０）を押すと、当該投与開口部（２５）を通って流体が放出され、前記パッケージ（４）は、容器の駆動壁（１０）に向かい合う位置に置かれた、少なくとも１つの変形可能な面（４１）を有しており、それによって、駆動壁はパッケージの変形可能な面を介して押し込まれることになり、特徴となるのは、パッケージ（４）が、固定付属物（２１）の位置で投与部材（１，２）に結合されており、当該固定付属物は、投与部材に固定あるいは一体化されており、また、当該固定付属物は、パッケージへの固定のための固定ゾーン（２１０）を有していることである、という流体ディスペンサ。
2005525972.tif 000002
【特許請求の範囲】
【請求項１】
流体ディスペンサであって、
投与部材（１、２）と、投与部材を少なくとも部分的に包んでいるパッケージ（４）とを有しており、
前記投与部材（１、２）は、流体容器（１）を有しており、当該流体容器にはネック（１１）と、少なくとも１つの変形可能な駆動壁（１０）とが形作られており、当該駆動壁は、押し込まれることで容器の内部容積を小さくする働きをしており、
前記投与部材（１）には、投与開口部（２５）が設けられており、容器（１）の駆動壁（１０）を押すと、当該投与開口部（２５）を通って流体が放出され、
前記パッケージ（４）は、容器の駆動壁（１０）に向かい合う位置に置かれた、少なくとも１つの変形可能な面（４１）を有しており、それによって、駆動壁はパッケージの変形可能な面を介して押し込まれることになり、
特徴となるのは、
パッケージ（４）が、固定付属物（２１）の位置で投与部材（１，２）に結合されており、当該固定付属物は、投与部材に固定あるいは一体化されており、また、当該固定付属物は、パッケージへの固定のための固定ゾーン（２１０）を有していることである、
という流体ディスペンサ。
【請求項２】
固定付属物（２１）は、容器（１）のネック（１１）の周辺に置かれていること、
を特徴とする請求項１に記載のディスペンサ。
【請求項３】
固定付属物（２１）は、投与部材（１、２）と一体化された形で作られていること、
を特徴とする請求項１又は２に記載のディスペンサ。
【請求項４】
固定付属物（２１）は、別個の部材であり、投与部材（１，２）に設置されていること、
を特徴とする請求項１又は２のいずれかに記載のディスペンサ。
【請求項５】
投与部材（１，２）は、さらに、投与エンドピース（２）を有しており、当該投与エンドピースには、投与開口部（２５）が形成されており、当該投与エンドピースは、容器（１）のネック（１１）内に、あるいはネックを囲む形で設けられ、固定付属物（２１）が、当該投与エンドピース（２）に固着、あるいは一体化されていること、
を特徴とする請求項１乃至４のいずれかに記載のディスペンサ。
【請求項６】
固定付属物（２１）の外周アウトラインは、パッケージ（４）への固定のための固定ゾーン（２１０）を形作っていること、
を特徴とする請求項１乃至５のいずれかに記載のディスペンサ。
【請求項７】
固定ゾーン（２１０）は、筒状になっており、断面がダイアモンド、あるいは目の形であること、
を特徴とする請求項６に記載のディスペンサ。
【請求項８】
パッケージ（４）は、側面エッジに沿って結合されて一体にされた２つの面（４１，４２）を有し、それらの面はさらに上側エッジ（４３）に沿って固定付属物に結合されており、また、効果的な構成として、下側エッジは開いた底面部（４４）を形作っていること、
を特徴とする請求項１乃至７のいずれかに記載のディスペンサ。
【請求項９】
パッケージ（４）は、弾性変形可能な素材で作られた、別個の２枚のシートか、あるいは、弾性変形可能な素材で作られ、半分に折られた１枚のシートで構成されていること、
を特徴とする請求項１乃至８のいずれかに記載のディスペンサ。
【請求項１０】
パッケージ（４）は、容器と接触する形で延びていること、
を特徴とする請求項１乃至９のいずれかに記載のディスペンサ。
【請求項１１】
パッケージ（４）は、その丈の一部、そして周囲の一部にわたって、容器に固定されていること、
を特徴とする請求項１乃至１０のいずれかに記載のディスペンサ。
【請求項１２】
容器の水平断面は、固定付属物の形状とほぼ同一の形状を有していること、
を特徴とする請求項１乃至１１のいずれかに記載のディスペンサ。
【請求項１３】
パッケージには、底面固定付属物（２１”）が設けられ、効果的な構成として、当該底面固定付属物は固定付属物の形状とほぼ同一の形状を有していること、
を特徴とする請求項１乃至１２のいずれかに記載のディスペンサ。
【請求項１４】
固定付属物は、容器のネックの外側に置かれていること、
を特徴とする請求項１乃至１３のいずれかに記載のディスペンサ。
【発明の詳細な説明】
【技術分野】
【０００１】
本発明は、投与部材と、それを少なくとも部分的に包んでいるパッケージとを有する、流体ディスペンサに関する。投与部材は、流体容器を有し、当該容器には変形可能な駆動壁が形作られており、当該駆動壁を指で押し込むことによって、容器の内部容積を小さくすることが可能であり、それによって、容器に貯蔵された流体のいくらかを投与開口部から噴出させることができる。そうした型の投与部材は、香水、化粧品、あるいは薬品の分野で実に多く利用されている。
【背景技術】
【０００２】
従来技術に関しては、例えば、特許文書FR−２  ７７８  ６３９号、FR−２  ７９１  ６４５号、あるいはFR−２  ７９６  ３６８号の中で述べられているだろう。これら全ての特許文書において、流体と気体とを貯蔵する容器が形成された投与部材が説明されている。容器の変形可能な面を押し込むと、流体と気体の混合物が二相スプレーの形態で投与開口部から噴出し、流体を投与することができる。文書FR−２  ７９６  ３６８号における投与部材にはトリムが設けられており、当該トリムは容器の変形可能な面の少なくとも一部分を覆うパッケージジャケットの形をしている。そのパッケージジャケットは、その背面で、つまり、変形可能な面の向かい側となる面で、投与部材に固定されている。また、さらに注目すべき点として、前記容器は、効果的な構成として、熱成形されたシェルとなっており、当該シェルに変形可能な駆動壁が形成されている。シェルは、密封フィルムによって閉じられており、密封フィルムはシェルの面状の周縁部に結合されている。同じ種類のパッケージ型の投与部材については、文書FR−２  ７８４  ３６１号の中でも述べられているが、そこで説明されている投与部材には、変形可能な駆動面の上に延びる形でフラップが設けられている。そのフラップは、シェルの端、またはそれを密閉しているフィルムの端のいずれかに固定されている。この文書においても同様に、容器はシェルと密封フィルムとから構成されている。前出の２つの文書の記述においては、固定を容易にする平らな面が１つ以上前記投与部材に形成されている。そのため、投与部材にパッケージを固定することは容易である。
【発明の開示】
【発明が解決しようとする課題】
【０００３】
投与部材がそのような固定に適した平らな面を有さない場合、事情は全く異なる。本発明は、従来技術に関する上記の問題、すなわち投与部材の特定の構造（シェル＋フィルム）に関連した問題を解決するとともに、極めて魅力的なパッケージを投与部材に対応させることを目的とする。よって、本発明は、投与部材とパッケージとから構成されており、そして、その投与部材は、従来の型であり、好ましい構造として、ワンピース型容器を有しており、そのワンピース型容器にはネックが形成されており、ネックには投与開口部が設けられている、というディスペンサを提供することを目的とする。
【課題を解決するための手段】
【０００４】
そこで、本発明は、投与部材と、投与部材を少なくとも部分的に包んでいるパッケージとを有しており、前記投与部材は、流体容器を有しており、当該流体容器にはネックと、少なくとも１つの変形可能な駆動壁とが形作られており、当該駆動壁は、押し込まれることで容器の内部容積を小さくする働きをしており、前記投与部材には、投与開口部が設けられており、容器の駆動壁を押すと、当該投与開口部を通って流体が放出され、前記パッケージは、容器の駆動壁に向かい合う位置に置かれた、少なくとも１つの変形可能な面を有しており、それによって、駆動壁はパッケージの変形可能な面を介して押し込まれることになり、特徴となるのは、パッケージが、固定付属物の位置で投与部材に結合されており、当該固定付属物は、投与部材に固定あるいは一体化されており、また、当該固定付属物は、パッケージへの固定のための固定ゾーンを有していることである、という流体ディスペンサを提供する。
【発明の効果】
【０００５】
また、効果的な構成として、固定付属物は、容器のネックの周辺に置かれていることとする。
また、１つの実施の形態として、固定付属物は、投与部材と一体化された形で作られていることとする。
また、別の実施の形態として、固定付属物は、別個の部材であり、投与部材に設置されていることとする。
【０００６】
また、さらに実際的な実施の形態として、投与部材は、さらに、投与エンドピースを有しており、当該投与エンドピースには、投与開口部が形成されており、当該投与エンドピースは、容器のネック内に、あるいはネックを囲む形で設けられ、固定付属物が、当該投与エンドピースに固着、あるいは一体化されていることとする。
また、いずれの場合においても、固定付属物の外周アウトラインは、パッケージへの固定のための固定ゾーンを形作っていることとしてよい。
【０００７】
また、固定ゾーンは、筒状になっており、断面がダイアモンド、あるいは目の形であることとするのが効果的である。
また、パッケージに関しては、パッケージは、側面エッジに沿って結合されて一体にされた２つの面を有し、それらの面はさらに上側エッジに沿って固定付属物に結合されており、また、効果的な構成として、下側エッジは開いた底面部を形作っていることとしてよい。
【０００８】
また、実際的な形として、パッケージは、弾性変形可能な素材で作られた、別個の２枚のシートか、あるいは、弾性変形可能な素材で作られ、半分に折られた１枚のシートで構成されていることとしてよい。
例えば、投与部材が有している容器は、フラスコ、あるいは小型ボトルの形状をしており、柔らかい熱可塑性プラスチックなどで作られた駆動壁を有するものである。そして、そうした変形可能なボトルには、標準的な投与エンドピースを設置されている。本発明の１つの効果として、いかなる形状の固定付属物であっても、標準的な投与エンドピースに固定することができる、ということがあげられる。このように、標準的な投与部材を製造した後、希望のデザインの固定付属物をそれに装備することが可能である。パッケージは、単にシールまたは接着剤によって、固定付属物に固定することができる点にも注目されたい。
【発明を実施するための最良の形態】
【０００９】
本発明に関する、２つの実施の形態を非限定的な例として示す添付図面を参照しながら、以下本発明について詳細に説明する。
本発明のディスペンサは、２つの主要な構成部分、すなわち、投与部材とパッケージ４とで構成されている。投与部材は容器１と投与エンドピース２とによって形成されており、また、パッケージは、投与部材の少なくとも一部を包んでいる。好ましい構成として、ディスペンサには、さらにキャップ又はストッパー５が設けられ、投与エンドピース２を覆ってディスペンサの投与開口部を封じている。
【００１０】
上のように駆動部材は容器１を有しているが、当該容器には少なくとも１つの変形可能な駆動壁１０とネック１１とが形成されており、従来の小型フラスコあるいはボトルの形状となっている。１つの例として、容器１がプラスチック素材で作られており、当該素材の壁厚は、駆動壁１０部分よりもネック１１部分で大きくなっている、とすることができる。投与エンドピース２はネック１１の中又は上に設置されており、隙間からの漏洩を防ぐ形で固定を実現する。図２乃至５に示す実施の形態では、投与エンドピース２が固定スリーブ２２を有しており、当該スリーブはネック１１の内壁と協働する。ネック１１の外壁と協働する固定スリーブを使用することも可能である。投与エンドピース２のうち、固定スリーブ２２が設けられている側とは逆の先端には、投与開口部２５が形成されている。また、投与エンドピース２の内部には、リセス２３が形成され、固定スリーブ２２から投与開口部２５にまで延びている。<P.  ５>  内部リセス２３は、一種のロッド３を格納しており、それは多孔性素材で作られているため、毛管作用によって流体を吸収することが可能である。当該多孔性素材の部品３を構成しているのは、投与エンドピース２の内部に格納され固定された部分と、ネック１１を通って容器の内部まで延びている外部部分３２とである。これにより、多孔性素材の部品３は、容器１から吸い上げた流体で浸された状態になることが可能である。多孔性素材の部品３は、投与エンドピース２に形成されたリセス２３の内側に格納されるが、前記リセス２３には、さらに、多孔性素材の部品３の内部部分３１の全長よりも長く延びる縦チャネル２４が形成されている。これらの縦チャネル２４は、空気を投与開口部２５まで到達させ、したがって気体と液体の混合物が投与開口部２５まで到達することになる。容器１の変形可能な駆動壁１０を押せば、このようにして、多孔性素材の部品３に貯蔵された流体とチャネル２４から浸入した気体とが投与開口部２５まで到達し、そこで二相スプレーの形で投与される。駆動壁１０は、押し込まれた後は常に元の静止形状に戻る。これが可能になるのは、駆動壁は弾力性又は形状記憶を有し、その結果、投与開口部２５から容器１に空気が吸入されるためである。このようにして、容器１の内部には常に空気が存在する。そのため、容器や多孔性素材の部品３に貯蔵された流体がなくなるまで、二相式投与をすることが可能である。
【００１１】
効果的な構成として、投与エンドピース２を、本体５０がトリム５１で縁取られた型のキャップ５によって覆うことにしてもよい。キャップ５は投与エンドピース２を保護し、また、投与開口部２５を封じる役割を果たす。
本発明では、投与部材に固定付属物２１、２１’が設けられ、そこにパッケージ４が固定されている。固定付属物は投与部材、すなわち、容器１または投与エンドピース２と一体化されていてもよい。異なった型として、固定付属物は別個の部材として、投与部材の上に、クランプ留め、スナップ留め、接着剤、あるいは他の公知の固定方法によって、固定することにしてもよい。固定付属物は容器のネックの外側に置かれる。
【００１２】
好ましい実施の形態としては、固定付属物を、投与エンドピース２に固着あるいは一体化する。図２および３に示す実施の形態では、固定付属物２１は、投与エンドピースと一体化した形に作られている。固定付属物２１は、容器１のネック１１の上端のすぐ上に置かれている。固定付属物２１がネック１１を囲む形で延びる、という形も考えられる。図４および５に示す別の実施の形態では、固定付属物２１’は、図２および３に示すのとほぼ同じ高さで投与エンドピース２に固定された、別個の部品である。固定付属物２１’は別個に投与エンドピース２に設置されるため、容易に形状の異なる固定付属物と交換できるので、最大のモジュール性を実現することが可能である。こうして、形状の異なる別の固定付属物を装着できる、標準的な型の投与エンドピースを実装することが出来る。
【００１３】
ふたたび図１を参照する。固定付属物２１が、投与エンドピース２を囲んで拡がっていることが見て取れるだろう。それは、ダイアモンドあるいは目のような形状をしており、その中の投与エンドピース２は瞳または眼球の虹彩の位置にある。固定付属物２１の外周アウトラインには、円柱状のエッジが設けられ、パッケージ４に接合するための固定ゾーン２１０となる。ダイアモンドあるいは目の形であれば、パッケージとパッケージ自身、あるいはパッケージと固定付属物とをすき間なく密封することができるため、特に効果的である。
【００１４】
パッケージ４は、縦側面エッジに沿って閉じられたジャケットの形としてもよい。  図１に示す実施の形態では、パッケージ４は、縦方向の側面エッジに沿って固着されて一体になった２つの変形可能なフレキシブルシート４１、４２で構成されており、固定付属物２１の固定ゾーン２１０に固定されている。シート４１、４２の下端は開いたままの状態であり、それによって開いた底面部４４が形成されるのが効果的である。そして、パッケージ４は、その上端４３の位置で、固定付属物２１に固定されている。当然のことながら、パッケージ４に関しては他の実施の形態も考えられる。例としては、円筒状の外周エッジを備えた固定付属物２１を設置することによって、完全に筒状のパッケージを実現することが可能である。
【００１５】
本発明においては、固定付属物２１、２１’が、投与部材とパッケージ４との間の中間部材として働いているので、これによって、いかなるパッケージであってもモジュール化され、標準的な投与部材に非常に安易に固定することができる。さらにこれは、パッケージをその上端部分で封じるための閉鎖部材を構成する。
そのようなディスペンサを駆動する際には、パッケージ４のシート４１および４２の一方、あるいはその両方を、押し込みさえすればよく、そうすればその間にある容器１、さらに具体的に言えば容器の駆動壁１０が平らになる。
【００１６】
本発明の効果的な特徴の１つとして、投与部材に接続された固定付属物が、筒状の固定ゾーンを有しており、そのためパッケージが必ず全体的に円筒形でなくとも、筒状であれば装着することができる、ということがあげられる。
本発明のもう１つの特徴としては、図に示す全ての実施の形態に共通して、パッケージ４が、その丈の一部、そして周囲の一部にわたって、容器に接触していることがあげられる。容器の水平断面は、固定付属物と類似、近似、または同一の、ダイアモンドあるいは目の形を示すことが好ましい。そうすれば、パッケージの強度が上がる。パッケージは、接着剤、または熱密封による技術を利用して、容器に固定するのが効果的である。
【００１７】
図４に示すのは本発明の別の外観であり、パッケージの底部には固定付属物２１’’が設けられ、少なくとも部分的にパッケージを封じている。固定付属物２１’’は、固定付属物２１’と全く同一であってもよい。容器は、これら２つの固定付属物２１’、２１’’と一直線上に並べられていることも確認すべき点である。パッケージはしたがって筒状となり、非常に優れた強度を示す。
【図面の簡単な説明】
【００１８】
【図１】本発明の流体ディスペンサを示す部分切り欠き概略斜視図である。
【図２】図１に示すディスペンサの垂直断面図である。
【図３】図２の細部Aを拡大した図である。
【図４】図２とは異なった実施の形態を示す垂直断面図である。
【図５】図４の細部Ｂを拡大した図である。
【図１】
2005525972.tif 000003
【図２】
2005525972.tif 000004
【図３】
2005525972.tif 000005
【図４】
2005525972.tif 000006
【図５】
2005525972.tif 000007
【手続補正書】
【提出日】平成16年1月22日(2004.1.22)
【手続補正１】
【補正対象書類名】特許請求の範囲
【補正対象項目名】全文
【補正方法】変更
【補正の内容】
【特許請求の範囲】
【請求項１】
流体ディスペンサであって、
投与部材（１、２）と、投与部材を少なくとも部分的に包んでいるパッケージ（４）とを有しており、
前記投与部材（１、２）は、流体容器（１）を有しており、当該流体容器にはネック（１１）と、少なくとも１つの変形可能な駆動壁（１０）とが形作られており、当該駆動壁は、押し込まれることで容器の内部容積を小さくする働きをしており、
前記投与部材（１）には、投与開口部（２５）が設けられており、容器（１）の駆動壁（１０）を押すと、当該投与開口部（２５）を通って流体が放出され、
前記パッケージ（４）は、容器の駆動壁（１０）に向かい合う位置に置かれた、少なくとも１つの変形可能な面（４１）を有しており、それによって、駆動壁はパッケージの変形可能な面を介して押し込まれ、
パッケージ（４）は、固定付属物（２１）の位置で投与部材（１，２）に結合されており、当該固定付属物は、投与部材に固定あるいは一体化されており、また、当該固定付属物は、パッケージへの固定のための固定ゾーン（２１０）を有しており、
特徴となるのは、
パッケージ（４）が、側面エッジに沿って結合された２つの面（４１，４２）を有し、それはさらに上側エッジに沿って固定付属物に結合されているということである、
という流体ディスペンサ。
【請求項２】
固定付属物（２１）は、容器（１）のネック（１１）の周辺に置かれていること、
を特徴とする請求項１に記載のディスペンサ。
【請求項３】
固定付属物（２１）は、投与部材（１、２）と一体化された形で作られていること、
を特徴とする請求項１又は２に記載のディスペンサ。
【請求項４】
固定付属物（２１）は、別個の部材であり、投与部材（１，２）に設置されていること、
を特徴とする請求項１又は２のいずれかに記載のディスペンサ。
【請求項５】
投与部材（１，２）は、さらに、投与エンドピース（２）を有しており、当該投与エンドピースには、投与開口部（２５）が形成されており、当該投与エンドピースは、容器（１）のネック（１１）内に、あるいはネックを囲む形で設けられ、固定付属物（２１）が、当該投与エンドピース（２）に固着、あるいは一体化されていること、
を特徴とする請求項１乃至４のいずれかに記載のディスペンサ。
【請求項６】
固定付属物（２１）の外周アウトラインは、パッケージ（４）への固定のための固定ゾーン（２１０）を形作っていること、
を特徴とする請求項１乃至５のいずれかに記載のディスペンサ。
【請求項７】
固定ゾーン（２１０）は、筒状になっており、断面がダイアモンド、あるいは目の形であること、
を特徴とする請求項６に記載のディスペンサ。
【請求項８】
パッケージ（４）は、弾性変形可能な素材で作られた、別個の２枚のシートか、あるいは、弾性変形可能な素材で作られ、半分に折られた１枚のシートで構成されていること、
を特徴とする請求項１乃至７のいずれかに記載のディスペンサ。
【請求項９】
パッケージ（４）は、容器と接触する形で延びていること、
を特徴とする請求項１乃至８のいずれかに記載のディスペンサ。
【請求項１０】
パッケージ（４）は、その丈の一部、そして周囲の一部にわたって、容器に固定されていること、
を特徴とする請求項１乃至９のいずれかに記載のディスペンサ。
【請求項１１】
容器の水平断面は、固定付属物の形状とほぼ同一の形状を有していること、
を特徴とする請求項１乃至１０のいずれかに記載のディスペンサ。
【請求項１２】
パッケージには、底面固定付属物（２１”）が設けられ、効果的な構成として、当該底面固定付属物は固定付属物の形状とほぼ同一の形状を有していること、
を特徴とする請求項１乃至１１のいずれかに記載のディスペンサ。
【請求項１３】
固定付属物は、容器のネックの外側に置かれていること、
を特徴とする請求項１乃至１２のいずれかに記載のディスペンサ。
【国際調査報告】
2005525972.tif 000008
2005525972.tif 000009
2005525972.tif 000010
2005525972.tif 000011
2005525972.tif 000012
2005525972.tif 000013